(57)【要約】【課題】本発明は、磁気メディアへの影響を抑えながら、確実に開閉状態を検知できる電子機器を提供する。【解決手段】表示装置４の開状態では、ヒンジ部５ａの磁性体８に対向する周囲部分は、磁力を通す素材２１で形成され、閉状態では、ヒンジ部５ａの磁性体８に対向する周囲部分は、磁力を通さない遮蔽板２０で形成されている。従って、表示装置４を閉状態から開状態へ回動すると、遮蔽板２０が磁気センサ１０と磁性体８の間から外れる方向に移動するため磁力が磁気センサ１０に達し、表示装置４の開状態を検知する。また、表示装置４を開状態から閉状態へ回動すると、磁気センサ１０と磁性体８の間に遮蔽板２０が進入して磁力が遮蔽され、表示装置４の閉状態を検知する。【選択図】　図３
2004078727.tif 000002
【特許請求の範囲】
【請求項１】
キーボードを有する本体と、
接続部を介して前記本体に開閉自在に接続された表示部と、
磁気を発生する磁性部材と、
前記磁性部材の磁気を検知する検出部と、
前記本体に対して前記表示部が閉位置にある場合には前記磁性部材と前記検出部との間に位置し、前記本体に対して前記表示部が開位置にある場合には前記検出部と前記磁性部材との磁気の通路を妨げない所に位置するよう、前記表示部の開閉動作に伴って移動可能な遮蔽部材と、
を有することを特徴とする電子機器。
【請求項２】
前記磁性部材は、前記本体内部に設けられていることを特徴とする請求項１記載の電子機器。
【請求項３】
前記遮蔽部材は、前記表示部が前記本体に対して使用しない閉位置にある場合には前記磁性部材と前記検出部との間に位置し、前記表示部が前記本体に対して使用可能な開位置にある場合には前記検出部と前記磁性部材との磁気の通路を妨げない所に位置するよう、前記表示部の開閉動作に伴って回動可能であることを特徴とする請求項１または請求項２のいずれか記載の電子機器。
【請求項４】
前記検出部によって前記磁性部材の磁気が検知された場合には前記表示部が開状態であると判断し、前記検出部によって前記磁性部材の磁気が検知されない場合には前記表示部が閉状態にあると判断する手段を有することを特徴とする請求項１乃至請求項３のいずれか記載の電子機器。
【請求項５】
前記遮蔽部材は前記接続部に設けられていることを特徴とする請求項１乃至請求項４のいずれか記載の電子機器。
【請求項６】
前記遮蔽部材は、前記接続部における前記表示部の表側を遮蔽する第１の遮蔽部材と、前記接続部における前記表示部の表側と反対の背面側を遮蔽する第２の遮蔽部材とからなることを特徴とする請求項５記載の電子機器。
【発明の詳細な説明】
【０００１】
【発明の属する技術分野】
本発明は、ノート型コンピュータ等のように開閉可能な表示装置を有する電子機器に関し、特に、表示装置の開閉動作の検知に関する。
【０００２】
【従来の技術】
従来、ＬＣＤの内蔵された表示装置が開閉可能に接続されているノート型コンピュータ等の電子機器が存在する。このような電子機器では、表示装置が閉じた状態であるのか、開いた状態であるのかを検知する機構が設けられている。
【０００３】
例えば従来の技術として、特開２００１−６０７７４公報には、電子機器の蓋開閉を検知する検知手段として、蓋の曲面部やカム部に磁性体を内蔵し、磁気センサで磁性体を検知することで蓋の回動を判断する構成が開示されている。
【０００４】
【発明が解決しようとする課題】
しかしながら、従来の装置では、蓋の取り付け部分に磁性体が無防備に配置されていることで、その磁力によって、磁性体内蔵箇所近くに磁気メディアを近づけてしまった場合には、磁気メディアの情報を破壊してしまう可能性があった。
【０００５】
本発明は、以上の点に鑑みなされたもので、磁気メディアへの影響を抑えながら、確実に開閉状態を検知できる電子機器を提供することを目的とする。
【０００６】
【課題を解決するための手段】
上記目的を達成するために、本発明の電子機器は、キーボードを有する本体と、接続部を介して前記本体に開閉自在に接続された表示部と、磁気を発生する磁性部材と、前記磁性部材の磁気を検知する検出部と、前記本体に対して前記表示部が閉位置にある場合には前記磁性部材と前記検出部との間に位置し、前記本体に対して前記表示部が開位置にある場合には前記検出部と前記磁性部材との磁気の通路を妨げない所に位置するよう、前記表示部の開閉動作に伴って移動可能な遮蔽部材と、を有することを特徴とする。
【０００７】
【発明の実施の形態】
以下、本発明に係る実施の形態について図面を参照して詳細に説明する。図１は、本発明の一実施の形態に係る電子機器としてのノート型パーソナルコンピュータＡ（以下ノート型パソコンと称す）の斜視図である。
【０００８】
ノート型パソコンＡの本体１は樹脂製の上ケース２および樹脂製の下ケース３を有している。本体１の上面にはキーボード９が搭載されている。本体１の上面前部（キーボード９の前側）はユーザーがキーボード９へのデータ入力の際に掌を置くためのパームレスト７が形成される。
【０００９】
本体１の後部には一対のヒンジ部５ａ、５ｂを介して表示装置４が開閉可能に接続されている。表示装置４にはデータを表示するためのＬＣＤ６が内蔵されている。
【００１０】
本体１の後部で、前記一方のヒンジ部５ａに対向する位置に、磁性体８（例えば永久磁石等）が内蔵されている。一方、ヒンジ部５ａの内部には、例えばリードスイッチからなる磁気センサ１０が設けられている。
【００１１】
この磁気センサ１０は本体１内部に設けられている後述する回路基板１５にケーブルにて接続されている。また、このケーブルはヒンジ部５を介して本体１から表示装置４に亘って配設されている。
【００１２】
図２は、表示装置４が開いている際のヒンジ部５ａと本体１後部の断面を概略的に示す図であり、図３は表示装置４が閉じている際のヒンジ部５ａと本体１後部の断面を概略的に示す図である。また、図４は他の実施例を示す図である。
【００１３】
図２及び図３に示すように、本体１内部には各種ＩＣチップ１６が搭載された回路基板１５が内蔵されており、この回路基板１５上のヒンジ部５ａに対向する位置に、磁性体８が配設されている。
【００１４】
この磁性体８に対応して、ヒンジ部５ａ内部における磁性体８からの磁力に影響される位置に、磁気センサ１０が配設されている。尚、磁性体８は、回路基板１５及びその他のＩＣチップ１６に対して影響を及ぼさないように、所定の処理（詳述しない）を施されて配設されている。
【００１５】
次に、ヒンジ部５ａを形成する素材について、図２に示すような表示装置４を開いた状態において、ヒンジ部５ａの磁性体８に対向する周囲部分は磁力を通す素材２１で形成されている。また図３に示すような表示装置４を閉じた状態において、ヒンジ部５ａの磁性体８に対向する周囲部分は、磁力を通さない遮蔽板２０で形成されている。そして、ヒンジ部５ａの回転に伴って遮蔽板２０も移動するよう構成している。
【００１６】
従って、表示装置４を閉じた状態（図３）から開いた状態（図２）へ回動（移動）すると、磁気センサ１０と磁性体８の間に位置した遮蔽板２０も表示装置４の回転とともに、磁気センサ１０と磁性体８の間から外れる方向に移動する。これに伴って、磁性体８の磁力がヒンジ部５ａ内の磁気センサ１０に達し、表示装置４の開状態を検知する。
【００１７】
また、表示装置４を開いた状態（図２）から閉じた状態（図３）へ回動（移動）すると、表示装置４の回転に伴って、磁気センサ１０と磁性体８の間に遮蔽板２０が進入し、磁力が遮蔽されて磁気センサ１０へ到達しなくなると、表示装置４の閉状態を検知する。
【００１８】
本実施例では、遮蔽板２０は、通常に使用する角度（略９０〜１００度）に表示装置４が開いた状態におけるヒンジ部５ａの前部（表示装置４のＬＣＤ６が設けられた表側）と後部（表示装置４のＬＣＤ６の背面側）に夫々第１及び第２の遮蔽部材が設けられている。
【００１９】
そして、第１の遮蔽部材と第２の遮蔽部材の間であり、磁性体８と磁気センサ１０との間に位置する部位は、磁力が通るように形成されている。
【００２０】
そのため、磁性体８の磁力は遮蔽板２０によって磁気センサ１０にのみ達し、ヒンジ部５ａ周辺の外部へ磁力が放出されない状態となる。従って、ヒンジ部５ａ周辺に接近した磁気メディア等へ影響を及ぼす事は無い。
【００２１】
また、表示装置４が閉じた状態にある場合には、遮蔽板２０が磁気センサ１０と磁性体８の間に位置しているため、磁性体８の磁力は遮蔽板２０によってヒンジ部５ａ周辺の外部へ磁力が放出されない状態となる。従って、表示装置４の閉状態にあっても、ヒンジ部５ａ周辺に接近した磁気メディア等へ影響を及ぼす事は無い。
【００２２】
また、本実施例では、図２に示すように、表示装置４を約９０〜１００度に開いた状態において、ヒンジ部５ａの前部と後部を遮蔽板２０で覆うよう構成しているが、これに限らず、図４に示すように、ヒンジ部５ａの前部にのみ遮蔽板２３を設けると、電子機器Ａの使用エリア側（キーボード側）において同様の効果を奏するばかりでなく、表示装置４の開状態をより広く設定することが可能となる。
【００２３】
また、本実施例では、ヒンジ部５ａ側に磁性体８と磁気センサ１０、及び遮蔽板２０を設けた構成を説明したが、これに限らず、ヒンジ部５ｂ側に設けても同様の効果を奏する。
【００２４】
図５は、ノート型パソコンＡのシステムブロック図を概略的に示すものである。システムバス３３にはゲートアレイ（ＧＡ）３１、３６、ＶＧＡコントローラ３４、およびサウンドコントローラ４１が接続されている。
【００２５】
ゲートアレイ３１には、ＣＰＵ３０およびシステムメモリ３２が接続されている。ＶＧＡコントローラ３４には、ＬＣＤ６が接続されている。サウンドコントローラ４１には図示せぬスピーカ１９が接続されている。
【００２６】
ゲートアレイ３６にはハードディスクドライブ（ＨＤＤ）４０及び制御部３７が接続されている。制御部３７にはＢＩＯＳ−ＲＯＭ３８、電源コントローラ４２およびリードスイッチからなる磁気センサ１０が接続されている。
【００２７】
ＢＩＯＳ−ＲＯＭ３８には、図示しない設定画面により、表示部４が閉じられた際のシステムの動作についてユーザにより所定の設定が可能となっている。
【００２８】
例えば、磁気センサ１０によって表示部４が閉じられたことが検知されると、システム動作として、（１）ＬＣＤ６への電源供給ＯＦＦ（システム側は電源オン状態：パネルオフ）、あるいは（２）パネルが閉じられた際のシステムの状態をメモリもしくはハードディスクドライブ４０に保存してシステムの電源ＯＦＦ（サスペンド）、あるいは（３）システム全体の電源供給停止（シャットダウン）等、（１）〜（３）のような省電力処理が挙げられる。
【００２９】
【発明の効果】
以上説明したように、本発明によれば、磁気メディアへの影響を抑えながら、確実に開閉状態を検知できる。
【図面の簡単な説明】
【図１】本発明の一実施の形態に係るノート型パーソナルコンピュータＡの斜視図。
【図２】表示装置４が開いている際のヒンジ５ａと本体１後部の断面を概略的に示す図。
【図３】表示装置４が閉じている際のヒンジ５ａと本体１後部の断面を概略的に示す図。
【図４】表示装置４が閉じている際のヒンジ５ａと本体１後部の他の実施例の断面を概略的に示す図。
【図５】
ノート型パソコンＡのシステムブロック図。
【符号の説明】
Ａ　　電子機器、ノート型パソコン
１　　本体
２、３　　ケース
４　　表示装置
６　　ＬＣＤ
８　　磁性体
９　　キーボード
１０　　磁気センサ（リードスイッチ）
２０、２３　　遮蔽板
【図１】
2004078727.tif 000003
【図２】
2004078727.tif 000004
【図３】
2004078727.tif 000005
【図４】
2004078727.tif 000006
【図５】
2004078727.tif 000007